【手続補正書】
【提出日】令和1年7月9日(2019.7.9)
【手続補正１】
【補正対象書類名】特許請求の範囲
【補正対象項目名】全文
【補正方法】変更
【補正の内容】
【特許請求の範囲】
【請求項１】
第１の無線通信方式に従った無線通信と、前記第１の無線通信方式よりも通信可能範囲が広く且つ高速な第２の無線通信方式に従った無線通信のそれぞれにより情報処理装置との通信が可能な通信装置と、前記情報処理装置とを含む通信システムであって、
前記通信装置は、
前記情報処理装置が前記第２の無線通信方式に従った無線通信により通信可能な複数の通信先のそれぞれの識別情報を、前記第１の無線通信方式に従った無線通信により前記情報処理装置から取得する取得手段と、
前記取得手段により取得された前記複数の通信先の識別情報に、所定の通信先の所定の識別情報が含まれていたことに基づいて、前記所定の通信先との前記第２の無線通信方式に従った無線通信を前記情報処理装置に実行させるための指示を、前記第１の無線通信方式に従った無線通信により前記情報処理装置へ送信する送信制御手段と、
を備え、
前記情報処理装置は、
前記送信制御手段により前記指示が送信された場合、前記所定の通信先と前記第２の無線通信方式に従った無線通信を実行する通信手段、を備える、
ことを特徴とする通信システム。
【請求項２】
前記送信制御手段により送信された前記指示は、前記所定の通信先を識別するための前記所定の識別情報を含むことを特徴とする請求項１に記載の通信システム。
【請求項３】
前記通信手段は、前記送信制御手段により前記指示が送信された場合、前記所定の識別情報に基づいて、前記所定の通信先と前記第２の無線通信方式に従った無線通信を実行することを特徴とする請求項２に記載の通信システム。
【請求項４】
前記情報処理装置は、
前記複数の通信先のそれぞれと前記第２の無線通信方式に従って無線通信を実行するための通信情報を記憶する記憶手段、をさらに備え、
前記通信手段は、前記送信制御手段により前記指示が送信された場合、前記取得手段による取得の前に予め前記記憶手段に記憶されている通信情報を用いて、前記所定の通信先と前記第２の無線通信方式により無線通信を実行する、
ことを特徴とする請求項１乃至３のいずれか１項に記載の通信システム。
【請求項５】
前記第２の無線通信方式は無線ＬＡＮであることを特徴とする請求項１乃至４のいずれか１項に記載の通信システム。
【請求項６】
前記第１の無線通信方式はＮＦＣ（Ｎｅａｒ  Ｆｉｅｌｄ  Ｃｏｍｍｕｎｉｃａｔｉｏｎ）であることを特徴とする請求項１乃至５のいずれか１項に記載の通信システム。
【請求項７】
前記情報処理装置は、画像の印刷を行うプリンタであることを特徴とする請求項１乃至６のいずれか１項に記載の通信システム。
【請求項８】
第１の無線通信方式に従った無線通信と、前記第１の無線通信方式よりも通信可能範囲が広く且つ高速な第２の無線通信方式に従った無線通信のそれぞれにより情報処理装置との通信が可能な通信装置により実行されるプログラムであって、
前記通信装置を、
前記情報処理装置が前記第２の無線通信方式に従った無線通信により通信可能な複数の通信先のそれぞれの識別情報を、前記第１の無線通信方式に従った無線通信により前記情報処理装置から取得する取得手段、
前記取得手段により取得された前記複数の通信先の識別情報に、所定の通信先の所定の識別情報が含まれていたことに基づいて、前記所定の通信先との前記第２の無線通信方式に従った無線通信を前記情報処理装置に実行させるための指示を、前記第１の無線通信方式に従った無線通信により前記情報処理装置へ送信する送信制御手段、
として機能させることを特徴とするプログラム。
【請求項９】
前記送信制御手段により送信された前記指示は、前記所定の通信先を識別するための前記所定の識別情報を含むことを特徴とする請求項８に記載のプログラム。
【請求項１０】
前記第２の無線通信方式は無線ＬＡＮであることを特徴とする請求項８または９に記載のプログラム。
【請求項１１】
前記第１の無線通信方式はＮＦＣ（Ｎｅａｒ  Ｆｉｅｌｄ  Ｃｏｍｍｕｎｉｃａｔｉｏｎ）であることを特徴とする請求項８乃至１０のいずれか１項に記載のプログラム。
【請求項１２】
前記情報処理装置は、画像の印刷を行うプリンタであることを特徴とする請求項８乃至１１のいずれか１項に記載のプログラム。
【請求項１３】
第１の無線通信方式に従った無線通信と、前記第１の無線通信方式よりも通信可能範囲が広く且つ高速な第２の無線通信方式に従った無線通信のそれぞれにより情報処理装置との通信が可能な通信装置と、前記情報処理装置とにより実行される通信方法であって、
前記通信装置が、
前記情報処理装置が前記第２の無線通信方式に従った無線通信により通信可能な複数の通信先のそれぞれの識別情報を、前記第１の無線通信方式に従った無線通信により前記情報処理装置から取得する取得工程と、
前記取得工程において取得された前記複数の通信先の識別情報に、所定の通信先の所定の識別情報が含まれていたことに基づいて、前記所定の通信先との前記第２の無線通信方式に従った無線通信を前記情報処理装置に実行させるための指示を、前記第１の無線通信方式に従った無線通信により前記情報処理装置へ送信する送信制御工程と、
を実行し、
前記情報処理装置が、
前記送信制御工程において前記指示が送信された場合、前記所定の通信先と前記第２の無線通信方式に従った無線通信を実行する通信工程、を実行する、
ことを特徴とする通信方法。
【手続補正２】
【補正対象書類名】明細書
【補正対象項目名】発明の名称
【補正方法】変更
【補正の内容】
【発明の名称】通信システム、プログラム、および通信方法
【手続補正３】
【補正対象書類名】明細書
【補正対象項目名】０００１
【補正方法】変更
【補正の内容】
【０００１】
本発明は、近接無線通信が可能な通信システム、プログラム、および通信方法に関する。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
本発明は、通信のセキュリティを向上する通信システム、プログラム、および通信方法を提供することを目的とする。
【手続補正６】
【補正対象書類名】明細書
【補正対象項目名】０００７
【補正方法】変更
【補正の内容】
【０００７】
上記課題を解決するため、本発明に係る通信システムは、第１の無線通信方式に従った無線通信と、前記第１の無線通信方式よりも通信可能範囲が広く且つ高速な第２の無線通信方式に従った無線通信のそれぞれにより情報処理装置との通信が可能な通信装置と、前記情報処理装置とを含む通信システムであって、前記通信装置は、前記情報処理装置が前記第２の無線通信方式に従った無線通信により通信可能な複数の通信先のそれぞれの識別情報を、前記第１の無線通信方式に従った無線通信により前記情報処理装置から取得する取得手段と、前記取得手段により取得された前記複数の通信先の識別情報に、所定の通信先の所定の識別情報が含まれていたことに基づいて、前記所定の通信先との前記第２の無線通信方式に従った無線通信を前記情報処理装置に実行させるための指示を、前記第１の無線通信方式に従った無線通信により前記情報処理装置へ送信する送信制御手段と、を備え、前記情報処理装置は、前記送信制御手段により前記指示が送信された場合、前記所定の通信先と前記第２の無線通信方式に従った無線通信を実行する通信手段、を備えることを特徴とする。